(57)【要約】      （修正有）【課題】掘削したトンネルの内側の構造体の内面に防水シートを張りつける為に用いられるトンネル防水シート取付具を提供する。【解決手段】構造体がＨ形鋼であれば、Ｈ形鋼の表面に固定されるベース部材１０と、防水シートをベース部材１０に押さえ付けて固定するシート押え部材２０と、シート押え部材２０に附属する補助部材３０とからなり、Ｈ形鋼の表面に固定されるベース部材１０の左右両側から起立する側壁部１２と、該側壁部１２の先端部から互いに内側に向けて屈曲形成された抜止片部１３とを備え、シート押え部材２０は、ブッシュナットを備えた上面部２１と、上面部２１の左右両側から内側に向けて屈曲形成された拡開片部２２と、該拡開片部２２の先端部から外側に向けて屈曲形成された押え片部２３と、該押え片部２３の先端部から上面部側に向けて反転アール状に形成された押え端部２４とを備えている。【選択図】図１
0003204885.tif 000002
【実用新案登録請求の範囲】
【請求項１】
トンネルを構築する過程において、掘削したトンネルの内側の構造体の内面に防水シートを張りつける為に用いられる取付具であって、コンクリート硬化面、地山面、またはＨ形鋼の表面に固定されるベース部材と、前記防水シートを前記ベース部材に押さえ付けて固定するシート押え部材と、前記シート押え部材に附属する補助部材とからなり、
前記Ｈ形鋼の表面に固定される前記ベース部材の左右両側から起立する側壁部と、該側壁部の先端部から互いに内側に向けて屈曲形成された抜止片部とを備え、
前記シート押え部材は、ブッシュナットを備えた上面部と、上面部の左右両側から内側に向けて屈曲形成された拡開片部と、該拡開片部の先端部から外側に向けて屈曲形成された押え片部と、該押え片部の先端部から前記上面部側に向けて反転アール状に形成された押え端部とを備え、
前記補助部材は対向する押し広げ片部と、該押し広げ片部の下端部を連結する底部を有して側面視Ｕ字状に形成され、前記押し広げ片部の下方部分は前記拡開片部に当接可能であると共に、前記底部はブッシュナットの下方に位置するように配設されており、
前記ブッシュナットに圧入シャフトが打ち込まれた際、圧入シャフトの侵入移動に伴って、前記補助部材が移動し、前記押し広げ片部が前記拡開片部に圧接することにより、前記拡開片部の間隙を広げて拡開させるように構成したトンネル防水シート取付具。
【請求項２】
前記補助部材の前記押し広げ片部の下方部分は下端部に向けて徐々に幅が狭くなるように形成された搾り部を備え、該搾り部の両側が前記拡開片部の内面に当接可能に形成されている請求項１記載のトンネル防水シート取付具。
【請求項３】
トンネルを構築する過程において、掘削したトンネルの内側の構造体の内面に防水シートを張りつける為に用いられる取付具であって、コンクリート硬化面、地山面、Ｈ形鋼の表面に固定されるベース部材と、前記防水シートを前記ベース部材に押さえ付けて固定する回動ストッパープレートとから構成されるトンネル防水シート取付具。
【請求項４】
圧入シャフトが回動ストッパープレートにブッシュナット又は溶接にて固定され、該回動ストッパープレートを回動すると該回動ストッパープレートの押え端部と、ベース部材の側壁部間に防水シートが固定されて張設されるように構成したことを特徴とするトンネル防水シート取付具。
【考案の詳細な説明】
【技術分野】
【０００１】  本考案はトンネル防水シート取付具であって、特にトンネルを構築する過程において、掘削したトンネルの内側の構造体の内面に防水シートを張りつける為に用いられる取付具に関する。
【背景技術】
【０００２】  従来、トンネル防水シート取付具には、特許文献１に記載されたものが知られている。同文献には、「トンネルを構築する過程において、トンネル掘削穴と覆工コンクリートとの間若しくは一次覆工コンクリートと二次覆工コンクリートとの間に介在せしめる防水シートを取り付けるためのものであって、前記トンネル掘削穴に設けられる鋼材の表面や前記一次覆工コンクリートの表面などの取付個所に対して固定されるベース体と、このベース体に対して固定されると共に前記防水シートをベース体に抑えつけ固定するシート抑え体とからり、前記ベース体は、前記取付個所に固定される底板部の左右両側に側壁部が立設する断面略コ字形体に形成すると共に、この左右夫々の側壁部の立ち上り先端部を対向内側に向けて屈曲して抜止片部を形成したものであり、前記シート抑え体は、螺子孔を備えた基体の左右に、前記ベース体の底板部並びに側壁部に近接若しくは当接し得る略Ｌ字形の圧接面を備えた圧接部を突設すると共に、この左右の圧接部を近接状態に並設せしめ、前記螺子孔に螺着した螺子杆を挿入すると、この螺子杆が左右に並設する圧接部を押動してこの左右の圧接部が並設間隔を拡張するように移動し、この押動移動した各圧接部の前記圧接面が前記ベース体の少なくとも各側壁部に近接若しくは当接し得るように構成したものであることを特徴とするトンネル防水シート取付具。」が記載されている。
【先行技術文献】
【特許文献】
【０００３】
【特許文献１】  特開平２００６−７０６５６号公報
【考案の概要】
【考案が解決しようとする課題】
【０００４】  前記せる特開平２００６−７０６５６号公報による開示では、防水シートを穴を開けずに取り付けることができる効果を主張しているが、ボルトの螺子の螺入により拡開部を拡開することが極めて困難であって作業性の悪いものであった。【０００５】  また、防水シートが肉厚のものでは、取付が不充分であって、防水シートを確実に張設し、固定することができないという問題があった。【０００６】  これに対して、本考案のトンネル防水シート取付具では、ボルトの螺子の螺入により拡開部を拡開するものではなく、圧入シャフトをブッシュナットに打ち込む方法により、容易に拡開部を拡開することができ、防水シートに穴を開けずに容易に取り付けることができるトンネル防水シート取付具を提供するものである。【０００７】  また、打ち込まれた圧入シャフト７は元に戻ることなく、ブッシュナット２５で強固に固定され、トンネル内側に防水シート４０を確実に張設し、固定することができるものである。
【課題を解決するための手段】
【０００８】  本考案のトンネル防水シート取付具は以下のように構成されている。
トンネルを構築する過程において、掘削したトンネルの内側の構造体の内面に防水シートを張りつける為に用いられる取付具であって、例えばＨ形鋼の表面に固定されるベース部材１０と、前記防水シート４０を前記ベース部材１０に押さえ付けて固定するシート押え部材２０と、前記シート押え部材２０に附属する補助部材とからなり、
前記Ｈ形鋼５の表面に固定される前記ベース部材１０の左右両側から起立する側壁部１２と、該側壁部１２の先端部から互いに内側に向けて屈曲形成された抜止片部１３とを備え、前記シート押え部材２０は、ブッシュナット２５を備えた上面部と、上面部の左右両側から内側に向けて屈曲形成された拡開片部２２と、該拡開片部２２の先端部から外側に向けて屈曲形成された押え片部２３と、該押え片部２３の先端部から前記上面部２１側に向けて反転アール状に形成された押え端部２４とを備え、
前記補助部材３０は対向する押し広げ片部３１と、該押し広げ片部３１の下端部を連結する底部３５を有して側面視Ｕ字状に形成され、前記押し広げ片部の下方部分は前記拡開片部２２に当接可能であると共に、前記底部３５はブッシュナット２５の下方に位置するように配設されており、
前記ブッシュナット２５に圧入シャフト７が打ち込まれた際、圧入シャフト７の侵入移動に伴って、前記補助部材３０が移動し、前記押し広げ片部３１が前記拡開片部２２に圧接することにより、前記拡開片部２２の間隙を広げて拡開させるように構成したトンネル防水シート取付具である。【０００９】  また、前記補助部材の押し広げ片部の下方部分は下端部に向けて徐々に幅が狭くなるように形成された搾り部を備え、該搾り部の両側が前記拡開片部の内面に当接可能に形成されているトンネル防水シート取付具である。【００１０】  トンネルを構築する過程において、掘削したトンネルの内側の構造体の内面に防水シートを張りつける為に用いられる取付具であって、コンクリート硬化面、地山面、Ｈ形鋼の表面に固定されるベース部材と、前記防水シートを前記ベース部材に押さえ付けて固定する回動ストッパープレートとから構成されるトンネル防水シート取付具である。【００１１】  圧入シャフトが回動ストッパープレートにブッシュナット又は溶接にて固定され、該回動ストッパープレートを回動すると該回動ストッパープレートの押え端部と、ベース部材の側壁部間に防水シートが固定されて張設されるように構成したことを特徴とするトンネル防水シート取付具である。
【考案の効果】
【００１２】  本考案によれば、取付個所に固定したベース部材に防水シートをあてがい、この防水シートの上からシート押え部材の押え片部をベース部材に押し当てて、ブッシュナットに圧入シャフトを打ち込むだけの簡単な作業により、防水シートに穴をあけることなく防水シートを取り付けることができ、更に圧入シャフトの先端部が補助部材の底部に当たって補助部材を押下げ、圧入シャフトの侵入移動に伴って押し広げ片部が拡開片部に圧接することにより、拡開片部の間隔を広げて拡開させるため、拡開部の拡開を円滑かつ確実におこなうことができる。【００１３】  したがって、比較的肉厚の防水シートであっても、より強固に防水シートを張設、固定することができる。【００１４】  また、第２の実施例で示すように、防水シートをベース部材に押さえ付けて固定する回動ストッパープレートとからなり、圧入シャフトが回動ストッパープレートにブッシュナット又は溶接にて固定され、該回動ストッパープレートを工具を用いて回動すると該回動ストッパープレートの押え端部と、ベース部材の側壁部間に防水シートが固定されて張設されるように構成したので、比較的簡単な操作でトンネル防水シートを取付することができる。
【図面の簡単な説明】
【００１５】
【図１】  トンネル防水シート取付具の斜視図である。
【図２】  図１の縦断面図である。
【図３】  防水シート取付具の使用方法の説明図である。
【図４】  防水シート取付具の使用方法の説明図である。
【図５】  防水シート取付具の使用方法の説明図である。
【図６（ａ）】  補助部材の正面図である。
【図６（ｂ）】  補助部材の側面図である。
【図７】  回動ストッパーの正面図である。
【図８】  回動ストッパープレートの平面図である。
【図９】  ベース部材の断面図である。
【図１０】  ベース部材の平面図である。
【図１１】  ベース部材の側面図である。
【図１２】  回動ストッパープレートを回動方向を示すする平面図である。
【図１３】  回動ストッパープレートの回動過程の位置を示した説明図である。
【図１４】  回動ストッパープレートの回転完了後の固定位置の平面図である。
【図１５】  回動ストッパーを用いた防水シート取付具の取付完了後の断面図である。
【考案を実施するための形態】
【実施例１】
【００１６】  トンネルを構築する過程において、掘削したトンネルの内側の構造体の内面に防水シート４０を張りつける為に用いられる取付具であって、構造体がＨ形鋼５であれば、Ｈ形鋼５の表面に固定されるベース部材１０と、前記防水シート４０を前記ベース部材１０に押さえ付けて固定するシート押え部材２０と、前記シート押え部材２０に附属する補助部材３０とからなり、前記Ｈ形鋼５の表面に固定される前記ベース部材１０の左右両側から起立する側壁部１２と、該側壁部１２の先端部から互いに内側に向けて屈曲形成された抜止片部１３とを備え、前記シート押え部材２０は、ブッシュナット２５を備えた上面部２１と、上面部２１の左右両側から内側に向けて屈曲形成された拡開片部２２と、該拡開片部２２の先端部から外側に向けて屈曲形成された押え片部２３と、該押え片部２３の先端部から前記上面部側に向けて反転アール状に形成された押え端部２４とを備えている。【００１７】  前記補助部材３０は対向する押し広げ片部３１と、該押し広げ片部３１の下端部を連結する底部３５を有して側面視Ｕ字状に形成され、前記押し広げ片部３１の下方部分は前記拡開片部２２に当接可能であると共に、前記底部３５はブッシュナット２５の下方に位置するように配設されている。【００１８】  前記ブッシュナット２５に圧入シャフト７が打ち込まれた際、圧入シャフト７の侵入移動に伴って、前記補助部材３０が移動し、前記押し広げ片部３１が前記拡開片部２２に圧接することにより、前記拡開片部２２の間隙を広げて拡開させるように構成したトンネル防水シート取付具である。【００１９】  また、前記補助部材３０の押し広げ片部３１の下方部分は下端部に向けて徐々に幅が狭くなるように形成された搾り部３４を備え、該搾り部３４の両側が前記拡開片部２２の内面に当接可能に形成されているトンネル防水シート取付具である。
【実施例１の説明】
【００２０】  図３乃至図５に基づき、本考案のトンネル防水シート取付具の防水シート取付手順について説明する。
【００２１】  Ｈ形鋼５の取付個所に固定したベース部材１０に図３に示すように、防水シート４０をあてがい、この防水シート４０の上からシート押え部材２０の押え片部２３をベース部材１０に押し当てて、図４に示すように、ブッシュナット２５に圧入シャフト７を打ち込むだけの作業により、図５に示すように、防水シート４０に穴をあけることなく防水シート４０を取り付けることができる。
【００２２】  更に、圧入シャフト７の先端部が補助部材３０の底部３５に当たって補助部材３０を押下げ、圧入シャフト７の侵入移動に伴って押し広げ片部３１が拡開片部２２に圧接することにより、拡開片部２２の間隔を広げて拡開させるため、拡開部の拡開を円滑かつ確実に行うことができる。
【００２３】  したがって、比較的肉厚の防水シート４０であっても、より強固に防水シート４０を張設、固定することができる。
【実施例２の説明】
【００２４】  以下、図７乃至図１５に基づき、本考案のトンネル防水シート取付具の第２の実施例について説明する。
【００２５】  トンネルを構築する過程において、掘削したトンネルの内側の構造体の内面に防水シートを張りつける為に用いられる取付具であって、コンクリート硬化面、地山面、Ｈ形鋼の表面に固定されるベース部材１０と、前記防水シート４０を前記ベース部材１０に押さえ付けて固定する回動ストッパープレート２３０とから構成されるトンネル防水シート取付具である。
【００２６】  圧入シャフト７が回動ストッパープレート２３０にブッシュナット２５又は溶接にて強固に固定され、該回動ストッパープレート２３０を回動すると、該回動ストッパープレートの押え端部２４と、ベース部材１０の側壁部１２間に防水シート４０が固定されて張設されるように構成されているトンネル防水シート取付具である。
【００２７】  以下、図１２乃至図１５に基づいて、本考案第２の実施例に基づくトンネル防水シートの取付過程について説明する。
【００２８】  ベース部材１０に防水シート４０をあてがい、図１２に示すように、回動ストッパープレート２３０を押しこみ、図１３乃至図１４の矢印ａに示すように、回動ストッパープレート２３０を回動すると図１４の状態で回動ストッパープレート２３０の押え片部２４が抜止片部１３に当接され、その結果、図１５に示すように防水シート４０は、回動ストッパープレート２３０の押え片部２４と側壁部１２及び抜止片部１３間に強固に保持されて張設される。
【符号の説明】
【００２９】  １    防水シート取付具
５    Ｈ形鋼
６    一次覆工コンクリート
７    圧入シャフト
１０    ベース部材
１１    底板部
１２    側壁部
１３    抜止片部
２０    シート押え部材
２１    上面部
２２    拡開片部
２３    押え片部
２４    押え端部
２５    ブッシュナット
３０    補助部材
３１    押し広げ片部
３４    窄まり部
３５    底部
４０    防水シート
２３０  回動ストッパープレート
【図１】
0003204885.tif 000003
【図２】
0003204885.tif 000004
【図３】
0003204885.tif 000005
【図４】
0003204885.tif 000006
【図５】
0003204885.tif 000007
【図６】
0003204885.tif 000008
【図７】
0003204885.tif 000009
【図８】
0003204885.tif 000010
【図９】
0003204885.tif 000011
【図１０】
0003204885.tif 000012
【図１１】
0003204885.tif 000013
【図１２】
0003204885.tif 000014
【図１３】
0003204885.tif 000015
【図１４】
0003204885.tif 000016
【図１５】
0003204885.tif 000017